(57)【特許請求の範囲】
【請求項１】
内部に切換えスイッチ(６)を具えたキャビネット(１)上に、切換えスイッチ(６)を操作する操作釦(３)をキャビネット(１)から出没自在に設け、切換えスイッチ(６)とキャビネット(１)内側との間に配設された導電性板を、キャビネット(１)内に設けられたアース体に接続して、キャビネット(１)外側から侵入する静電気から切換えスイッチ(６)を保護する静電シールド構造に於いて、
導電性板は、キャビネット(１)に一端部が固定された弾性片(40)と、該弾性片(40)の先端部に形成され、アース体に向けて湾曲した接触片(41)とによって構成され、操作釦(３)は前記弾性片(40)に取り付けられ、操作釦(３)の押圧による弾性片(40)の撓み変形に伴い、接触片(41)はアース体に圧接しながら摺動し、接触片(41)は、操作釦(３)の押圧前と押圧時とでは、アース体に接する箇所が異なることを特徴とする静電シールド構造。
【発明の詳細な説明】
【０００１】
【発明の属する技術分野】
本発明は、ビデオカメラ等の磁気記録再生装置に於いて、キャビネット内の操作切換えスイッチを、外部からの静電気から保護する静電シールド構造に関するものである。
【０００２】
【従来の技術】
ビデオカメラ等の磁気記録再生装置に於いては、図１０に示すように、キャビネット（１）上に、記録再生等の操作モードに対応した操作釦（３）（３）を出没自在に設け、キャビネット（１）内に各操作釦（３）により操作される切換えスイッチ（６）を設けている。
然るに、キャビネット（１）の外側から、操作釦（３）とキャビネット（１）の隙間を通って、静電気がキャビネット（１）内に入り込むことがある。この静電気は使用者の指先から発せられることが多いが、該静電気が切換えスイッチ（６）を誤動作させることがある。
従って、切換えスイッチ（６）を静電気から保護する静電シールド構造が従来から種々提案されており、例えば図８及び図９に示すものがある。
【０００３】
図８に於いて、キャビネット（１）の内側には、リブ（１０）が設けられ、該リブ（１０）上の中継基板（６０）に切換えスイッチ（６）が載置される。キャビネット（１）の外壁内面には、弾性変形可能で、切換えスイッチ（６）に被さるように延びる導電板（８）の一端部が固定され、該切換えスイッチ（６）に対応した導電板（８）上の位置に操作釦（３）が配置される。操作釦（３）の上端部は、キャビネット（１）に開設された開口（１２）から出没自在にキャビネット（１）上面へ臨出している。
導電板（８）の他端部は、磁気テープを介して記録再生を行なう周知のメカニズムデッキの金属板シャーシ（７）とともに、リブ（１０）から突出した位置決めボス（１１）にビス（１４）にて固定されている。ビス（１４）はキャビネット（１）に開設された窓孔（１３）を通って、位置決めボス（１１）に螺合する。
【０００４】
開口（１２）と操作釦（３）の隙間を通って、キャビネット（１）内部に侵入した静電気は、導電板（８）を伝って、シャーシ（７）に流れる。シャーシ（７）は静電気のアース体であり、導電板（８）がシャーシ（７）にアース接続されることで、静電気は切換えスイッチ（６）に達せず、切換えスイッチ（６）の誤動作は防止されている。また、メカニズムデッキ及び操作釦（３）の配置上、シャーシ（７）と導電板（８）をビス止め出来ない場合には、図９に示すように導電板（８）とシャーシ（７）を、電線（９）で連結し、切換えスイッチ（６）を静電気から保護することも行なわれている。これは、シャーシ（７）と導電板（８）を予め電線（９）で接続しておき、電線（９）をキャビネット（１）とシャーシ（７）の間に収納しながら、シャーシ（７）をキャビネット（１）内に取り付ける。
【０００５】
【発明が解決しようとする課題】
図８に示す静電気防止構造では、キャビネット（１）上に窓孔（１３）を開設するので、外観のデザイン上、美観を損ねる場合がある。更に、長期間の使用により、導電板（８）が腐食して、シャーシ（７）との接触抵抗が大きくなり、導電板（８）とシャーシ（７）間の導通が劣化する虞れがある。
また、図９に示すように、電線（９）で導電板（８）とシャーシ（７）を連結したものは、電線（９）をキャビネット（１）とシャーシ（７）の間に収納しながら、シャーシ（７）をキャビネット（１）内に取り付ける作業が煩雑である。
本発明は、キャビネットの美観を損ねず、取付け作業性がよく、アース体との導通の劣化を防ぐ静電気防止構造を提供することを目的とする。
【０００６】
【課題を解決する為の手段】
内部に切換えスイッチ(６)を具えたキャビネット(１)上には、切換えスイッチ(６)を操作する操作釦(３)が出没自在に設けられている。切換えスイッチ(６)とキャビネット(１)内側の間に配設され、キャビネット(１)内のアース体に接続される導電性板は、キャビネット(１)に一端部が固定された弾性片(40)と、該弾性片(40)の先端部に形成され、アース体に向けて湾曲した接触片(41)とによって構成される。操作釦(３)は前記弾性片(40)に取り付けられ、操作釦(３)の押圧による弾性片(40)の撓み変形に伴い、接触片(41)はアース体に圧接しながら摺動し、接触片(41)は、操作釦(３)の押圧前と押圧時とでは、アース体に接する箇所が異なる。
【０００７】
【作用及び効果】
導電部材のアース体へのアース接続は、キャビネット（１）内にアース体を取り付ける際に、キャビネット（１）内に予め取り付けられた導電部材を、アース体に当接させるだけで行なえる。従って、従来のように、キャビネット（１）とアース体とを、導電板（８）や電線（９）で接続する構成に比して、取付け作業性が改善される。
また、導電片（４）の取付けの為に、キャビネット（１）に窓孔（１３）を開設する必要がなく、キャビネット（１）の美観を損ねることもない。
更に、操作釦（３）の押圧に伴って、接触片（４１）はアース体上を圧接しながら摺動する、即ち接触片（４１）がアース体との間に摩擦を生じながら摺動するので、たとえ当初接触片（４１）とアース体との接触箇所が腐食していても、腐食箇所が摩擦により剥ぎ落とされる。従って、腐食による導電部材の導通の劣化を防ぐことができ、切換えスイッチ（６）は確実に保護される。
【０００８】
【発明の実施の形態】
以下、本発明の一例を、図を用いて詳述する。尚、従来と同一構成については、同一符号を用いる。
図１に示すように、キャビネット（１）の内側には、上面にシールド板（２）を具えた回路基板（５）と、該シールド板（２）の上面に対向し、リン青銅等からなる導電片（４）が設けられている。回路基板（５）はメカニズムデッキにアース接続されている。
シールド板（２）は、ブリキ板等の折曲げにより構成され、回路基板（５）への高周波ノイズの飛込みを防止するとともに、後記するように導電片（４）に接するアース体となっている。尚、本例では出願人が実施を検討している内容に合わせて、シールド板（２）をアース体としたのであるが、従来のようにアース体をメカニズムデッキのシャーシ（７）に求めてもよい。
【０００９】
導電片（４）は一端部がキャビネット（１）の内側に固定され、上面に操作釦（３）が取り付けられた弾性片（４０）と、弾性片（４０）の先端部に取り付けられ、膨らみをシールド板（２）に向けて湾曲した接触片（４１）とを一体に具える。接触片（４１）の下端は、シールド板（２）の上面に当接している。
弾性片（４０）の長手方向の中央部には、操作釦（３）が取り付けられ、該操作釦（３）の上端は、キャビネット（１）に開設された開口（１２）から出没自在に臨出する。回路基板（５）上で、操作釦（３）の移行路上には、操作釦（３）により押し込まれる切換えスイッチ（６）が設けられている。切換えスイッチ（６）は、従来と同様に、メカニズムデッキの走行モードを切り換えるものであり、押し込まれてＯＮとなる。
【００１０】
導電片（４）をシールド板（２）に接触させるには、予めキャビネット（１）内に導電片（４）を取り付けておき、この状態で回路基板（５）をキャビネット（１）内に実装する。導電片（４）の接触片（４１）は、弾性片（４０）の弾性力により、シールド板（２）の上面に圧接され、これにより導電片（４）とシールド板（２）は電気的に接続される。
使用者の指が操作釦（３）に触れた際に、微小レベルの静電気がキャビネット（１）の開口（１２）と操作釦（３）の隙間から、キャビネット（１）内に入り込むことがある。この場合、かかる静電気は導電片（４）を伝って、シールド板（２）に流れる。切換えスイッチ（６）には静電気による影響が及ぶことはなく、切換えスイッチ（６）の誤動作の虞れは防がれる。
【００１１】
図３に示すように、使用者が操作釦（３）をキャビネット（１）内に押し込むと、弾性片（４０）はキャビネット（１）内面との固着部を中心に時計方向に回転し、接触片（４１）がシールド板（２）上に更に圧接する。このとき、図２（ｂ）に拡大して示すように、接触片（４１）とシールド板（２）の接触箇所は、当初の接触位置ｂから接触片（４１）上の位置ａにずれる。即ち、接触片（４１）は、弾性片（４０）の撓み変形に伴って、図２（ａ）に示す状態から、シールド板（２）に圧接しながら反時計方向に回転する。
【００１２】
導電片（４）はリン青銅により形成されているから、長期間の間に表面が腐食して、緑青を形成することがある。この場合、シールド板（２）との接触抵抗が大きくなり、導電片（４）を伝った静電気が、シールド板（２）に完全には伝達されない為、完全なアース接続はされず、切換えスイッチ（６）が十分に保護されない虞れがある。
本例の導電片（４）では、操作釦（３）の押圧に伴って、接触片（４１）がシールド板（２）との間に摩擦を生じながら摺動するので、たとえ当初接触片（４１）とシールド板（２）との接触箇所が腐食していても、腐食箇所が摩擦により剥ぎ落とされる。従って、シールド板（２）と導電片（４）の接触抵抗が大きくなることはなく、導電片（４）の導通の劣化を防ぐ。
【００１３】
本例では、キャビネット（１）内に回路基板（５）を取り付け、キャビネット（１）内に取り付けられた導電片（４）をシールド板（２）に当接させるだけで、切換えスイッチ（６）に向けて飛込む静電気を遮蔽できるので、従来のように、キャビネット（１）とアース体とを、導電板（８）や電線（９）で接続する構成に比して、取付け作業性がよい。
また、導電片（４）の取付けの為に、キャビネット（１）に窓孔（１３）を開設する必要がなく、キャビネット（１）の美観を損ねることもない。
【００１４】
図４は、導電片（４）の他の例を示す図である。接触片（４１）はシールド板（２）の側面に対向し、弾性片（４０）上には操作釦（３）が載置している。操作釦（３）を押圧すると、接触片（４１）のシールド板（２）との接触箇所は、位置ｂから位置ａに移動する（図５（ａ）、（ｂ）参照）。これにより、当初の接触片（４１）とシールド板（２）との接触箇所が腐食していても、腐食箇所が摩擦により剥ぎ落とされる。
また、図７、図８に示すように、導電片（４）はＴ字形を呈して、両端に２つの接触片（４１）（４１）を具えてもよい。この場合、操作釦（３）の押圧に伴って、各接触片（４１）が対応するシールド板（２）に押圧接触する。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、本例では、シールド板（２）をブリキ材から成るとしたが、導電性のよい他の材料から形成されてもよい。
【図面の簡単な説明】
【図１】キャビネットの一部を破断した側面図である。
【図２】（ａ）は操作釦が操作されない状態での接触片の拡大図、（ｂ）は操作釦が押し込まれた状態での接触片の拡大図である。
【図３】操作釦が押し込まれた状態を、キャビネットの一部を破断して示す側面図である。
【図４】他の例に於ける導電片を、キャビネットを破断して示す側面図である。
【図５】（ａ）は図４に於ける操作釦が操作されない状態での接触片の拡大図、（ｂ）は操作釦が押し込まれた状態での接触片の拡大図である。
【図６】他の例に於ける導電片の平面図である。
【図７】図６の導電片を、キャビネットを破断して示す側面図である。
【図８】従来の静電シールド構造を、キャビネットの一部を破断して示す側面図である。
【図９】従来の他の静電シールド構造を、キャビネットの一部を破断して示す側面図である。
【図１０】キャビネットの斜面図である。
【符号の説明】
（１）  キャビネット
（３）  操作釦
（６）  切換えスイッチ
（４０）  弾性片
（４１）  接触片
【図１】
0003583855.tif 000002
【図２】
0003583855.tif 000003
【図３】
0003583855.tif 000004
【図４】
0003583855.tif 000005
【図５】
0003583855.tif 000006
【図６】
0003583855.tif 000007
【図７】
0003583855.tif 000008
【図８】
0003583855.tif 000009
【図９】
0003583855.tif 000010
【図１０】
0003583855.tif 000011